(57)【要約】【課題】  吸収体のごわつきが抑制され、装着感に優れたパンツ型吸収性物品を提供する。【解決手段】  外装体と、外装体の肌当接面側に位置する吸収性本体と、を備えるパンツ型吸収性物品であって、外装体は、周方向に伸縮する腰部開口部及び一対の脚部開口部が形成され、吸収性本体は、液透過性のトップシートと、液不透過性の防漏シートと、トップシートと防漏シートとの間に配置された吸収体と、を有し、吸収体は、長手方向に腹側部、股下部及び背側部に区分され、股下部は、長手方向に延びるスリットが複数形成され、スリットは、股下部の幅に対して１０％以上４０％以下の合計幅を有するパンツ型吸収性物品である。【選択図】図２
2016220906.tif 000002
【特許請求の範囲】
【請求項１】
外装体と、前記外装体の肌当接面側に位置する吸収性本体と、を備えるパンツ型吸収性物品であって、
前記外装体は、周方向に伸縮する腰部開口部及び一対の脚部開口部が形成され、
前記吸収性本体は、液透過性のトップシートと、液不透過性の防漏シートと、前記トップシートと前記防漏シートとの間に配置された吸収体と、を有し、
前記吸収体は、腹側部と、股下部と、背側部とを有し、
前記股下部は、長手方向に延びるスリットが複数形成され、
前記スリットは、前記股下部の幅に対して１０％以上４０％以下の合計幅を有することを特徴とするパンツ型吸収性物品。
【請求項２】
前記股下部の長手方向中央に位置する前記スリットは、前記股下部の長手方向の前後に位置する前記スリットの合計幅と同等以上の合計幅を有することを特徴とする請求項１に記載のパンツ型吸収性物品。
【請求項３】
前記腹側部に位置する外装体は、前記吸収体と重ならない領域において、伸縮方向に１２０％伸長したときに、０．８Ｎ／５０ｍｍ以上２．０Ｎ／５０ｍｍ以下の伸長荷重を有し、かつ、伸縮方向に１５０％伸長したときに、２．０Ｎ／５０ｍｍ以上３．５Ｎ／５０ｍｍ以下の伸長荷重を有することを特徴とする請求項１または２に記載のパンツ型吸収性物品。
【請求項４】
前記外装体が第１の不織布、伸縮性フィルム及び第２の不織布を肌当接面側からこの順に一体化して積層して構成される複合シートを含有することを特徴とする請求項１から請求項３のいずれか１項に記載のパンツ型吸収性物品。
【発明の詳細な説明】
【技術分野】
【０００１】
本発明は、パンツ型吸収性物品に関する。
【背景技術】
【０００２】
使い捨ておむつや生理用ナプキン等の臀部を覆うタイプの吸収性物品には、下着のように一体成形したパンツ型と、腰部をテープで２カ所止めるテープ型の吸収性物品が知られている。このうち、パンツ型吸収性物品は、外装体と、着用者の肌と接する液透過性のトップシートと、吸収体と、液不透過性の防漏シートとからなり、外装体の肌当接面側に位置する吸収性本体とを備えており、これらの積層体を長手方向に２つ折りして、両側縁部をヒートシール等で接合することにより、腰部開口部と左右一対の脚部開口部とを形成している。
【０００３】
パンツ型吸収性物品は、立位や歩行等の動作により、変形して着用者との間に隙間が生じ、この隙間が漏れの原因となることが多かった。したがって、脚部開口部や腰部開口部の周り、さらに腰周り部へ弾性部材を装着して収縮性を持たせることにより、パンツ型吸収性物品と着用者の身体とが均一に密着し、フィット性を向上させている。一方、着用者の股下と接するパンツ型吸収性物品の股下部は、特に大きな変形を余儀なくされる部位であることから、従来技術では、この変形による着用時のゴワゴワとした感触が強く、装着感が劣るという問題があった。
【０００４】
そこで、フィット性や装着感を向上させるものとして、例えば、特許文献１には、股下部吸収体の幅が狭い一方、弾性伸縮部材が設けられるレッグ開口の周縁とその股下部の側縁との間隔が広いパンツ型の使い捨ておむつが開示されている。また、特許文献２には、吸液性コアに、その厚み方向を貫通し、長手方向へ延びる複数の条孔が長手方向と幅方向とに間欠的に配置され、該条孔に沿って表裏面シートが剥離不能に接合するとともに表面シートが該条孔に沿って延びる条溝を形成している使い捨て吸収性アンダーガーメントが開示されている。
【先行技術文献】
【特許文献】
【０００５】
【特許文献１】特開平０６−３０４２００号公報
【特許文献２】特開平０９−０５１９１３号公報
【発明の概要】
【発明が解決しようとする課題】
【０００６】
しかし、パンツ型吸収性物品の場合に、腰周り部に高い伸縮性を与えると、吸収体と重なる部分の伸縮性を抑えた場合でも、吸収体が変形して、ごわつきが抑えにくくなり、装着感が十分に改善されないことが分かった。
【０００７】
本発明は、上記課題に鑑みなされたものであり、吸収体のごわつきが抑制され、装着感に優れるパンツ型吸収性物品を提供することを目的とする。
【課題を解決するための手段】
【０００８】
（１）本願発明に係る１つの態様は、外装体と、上記外装体の肌当接面側に位置する吸収性本体と、を備えるパンツ型吸収性物品であって、上記外装体は、周方向に伸縮する腰部開口部及び一対の脚部開口部が形成され、上記吸収性本体は、液透過性のトップシートと、液不透過性の防漏シートと、上記トップシートと上記防漏シートとの間に配置された吸収体と、を有し、上記吸収体は、腹側部、股下部及び背側部を有し、上記股下部は、長手方向に延びるスリットが複数形成され、上記スリットは、上記股下部の幅に対して１０％以上４０％以下の合計幅を有することを特徴とする。
（２）  本発明の他実施形態に係る吸収性物品は、（１）記載のパンツ型吸収性物品であって、上記股下部の長手方向中央に位置する上記スリットは、上記股下部の長手方向の前後に位置する上記スリットの合計幅と同等以上の合計幅を有することを特徴とする。
（３）  本発明の他実施形態に係る吸収性物品は、上記（１）または（２）記載のパンツ型吸収性物品であって、上記腹側部に位置する外装体は、上記吸収体と重ならない領域において、伸縮方向に１２０％伸長したときに、０．８Ｎ／５０ｍｍ以上２．０Ｎ／５０ｍｍ以下の伸長荷重を有し、かつ、伸縮方向に１５０％伸長したときに、２．０Ｎ／５０ｍｍ以上３．５Ｎ／５０ｍｍ以下の伸長荷重を有することを特徴とする。
（４）  本発明の他実施形態に係る吸収性物品は、上記（１）から（３）のいずれかに記載のパンツ型吸収性物品であって、上記外装体が第１の不織布、伸縮性フィルム及び第２の不織布を肌当接面側からこの順に一体化して積層して構成される複合シートを含有することを特徴とする。
【発明の効果】
【０００９】
本発明のパンツ型吸収性物品は、吸収体の股下部に長手方向に延びるスリットを複数形成し、スリットの合計幅が吸収体の股下部の幅に対して１０％以上４０％以下であることにより、吸収体のごわつきが抑制され、装着感に優れるパンツ型吸収性物品を提供することができるものである。
【図面の簡単な説明】
【００１０】
【図１】本発明の一実施形態に係るパンツ型吸収性物品を示す概略図である。
【図２】本発明の一実施形態に係るパンツ型吸収性物品の展開図である。
【図３】図３（ａ）は、図２のＸ１−Ｘ１線において、本発明のパンツ型吸収性物品の一実施形態に係る吸収体を抜き出した断面斜視図である。図３（ｂ）は、図２のＸ２−Ｘ２線において、本発明のパンツ型吸収性物品の一実施形態に係る吸収体を抜き出した断面斜視図である。
【図４】図４は、図２のＸ１-Ｘ１線において、本発明のパンツ型吸収性物品の一実施形態に係る断面図である。
【図５】図５（ａ）は、本発明のパンツ型吸収性物品の他の実施形態を示すスリットの平面図である。図５（ｂ）は、本発明のパンツ型吸収性物品のさらに他の実施形態を示すスリットの平面図である。図５（ｃ）は、本発明のパンツ型吸収性物品のさらに他の実施形態を示すスリットの平面図である。
【発明を実施するための形態】
【００１１】
図１から図５を参照して、本発明の実施形態に係るパンツ型吸収性物品について詳細に説明する。なお、実施形態の説明は、全体を通して同じ要素には同じ番号を付している。本明細書の説明において、パンツ型吸収性物品１の着用時とは、パンツ型吸収性物品１の着用時及び着用後の少なくとも一方をいう。また、パンツ型吸収性物品１の長手方向とは、パンツ型吸収性物品１が着用されたときに着用者の前後にわたる方向であり、図中、符号Ｙで示す方向であり、パンツ型吸収性物品の短手方向とは、長手方向に対して横又は直交する方向であり、図中、符号Ｘで示す方向である。さらに、肌当接面とは、吸収性本体３等の各部材の表裏両面のうち、着用時に着用者の肌側に配される面であり、非肌当接面とは、吸収性本体３等の各部材の表裏両面のうち、着用時に着用者の肌側とは反対側に向けられる面である。また、体液とは、尿、血液や軟便中の水分等の体内から体外に排出された液体をいう。さらに、パンツ型吸収性物品１としては、幼児又は成人用を問わず、ショーツタイプの生理用品、失禁用使い捨ておむつ等のパンツ型吸収性物品であってもよい。
【００１２】
図１は、本発明の一実施形態に係るパンツ型吸収性物品を示す概略図であり、図２は、本発明の一実施形態に係るパンツ型吸収性物品の展開図である。また、図４は、本発明の一実施形態に係るパンツ型吸収性物品の断面図である。図１及び図４に示すように、パンツ型吸収性物品１は、外装体２と、外装体２の肌当接面側に位置し、液透過性のトップシート３１と、液不透過性の防漏シート３２と、トップシートと防漏シートとの間に配置された吸収体３３と、を有する吸収性本体３とを備えている。また、図１に示すように、パンツ型吸収性物品１は、腰部開口部ＷＯ及び左右一対の脚部開口部ＬＯ、ＬＯを有している。
【００１３】
（吸収性本体）
図３は、図２のＸ１−Ｘ１線、Ｘ２−Ｘ２線において、本発明のパンツ型吸収性物品の一実施形態に係る断面図である。図１から図４に示すように、パンツ型吸収性物品１の吸収性本体３は、肌当接面側に配された液透過性のトップシート３１と、トップシート３１に対向して配置された液不透過性の防漏シート３２と、トップシート３１と防漏シート３２との間に配置され、体液を吸収する吸収体３３とを備えた構造となっている。吸収性本体３は、外装体２の腹側から背側の内側にかけて配置され、外装体２と固定されている。その固定方法としては、例えば、ホットメルト等の接着剤、熱融着、あるいは超音波接着等があげられる。
【００１４】
トップシート３１は、体液が吸収体３３へと移動するような液透過性を備えた基材を用いればよく、例えば、サーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート３１は、液透過性を向上させるために、表面にエンボス加工や穿孔加工を施すことが好ましい。その加工方法は、公知の方法を制限なく行うことができる。また、肌への刺激を低減させるために、トップシート３１に、ローション、酸化防止剤、抗炎症成分、ｐＨ調整剤、抗菌剤、保湿剤等を含有させることも好ましい。さらに、強度および加工性の点から、トップシート３１の坪量は、１４ｇ／ｍ２以上４０ｇ／ｍ２以下であることが好ましい。トップシート３１の形状としては、特に制限はないが、体液を漏れがないように吸収体３３へと誘導するため、吸収体３３を覆う形状であればよい。
【００１５】
また、液拡散性シート３５をトップシート３１の非肌当接面側に設ける。体液は、まずトップシート３１を通って、吸収体３３へ順次拡散、吸収する。吸収後、すばやく前後左右に拡散していくのが好ましいため、トップシート３１の下に液拡散性シート３５を設けて拡散を促し、体液を広く吸収体３３に移動させて効率よく吸収させることができる。
【００１６】
液拡散性シート３５は、０．１ｍｍ以上の厚さ及び１８ｇ／ｍ２以上の目付けを有する親水性不織布であり、例えば、ポリプロピレン、ポリエチレン、ポリエステルなどの合成繊維系からなるエアースルー不織布、ポイントボンド不織布、スパンボンド不織布が使用できる。特に、液戻りの防止に優れるエアースルー不織布が好適である。液拡散性シート３５の厚さは、例えば、尾崎製作所製ピーコックダイヤルゲージを用い、３４３２Ｐａの荷重下で測定する。
【００１７】
図１及び図２に示すように、吸収体３３は、着用時に着用者の腹側に配置される腹側部Ａ、着用時に着用者の背側に配置される背側部Ｂ、腹側部Ａと背側部Ｂとの間に配置される股下部Ｃを有している。吸収体３３の股下部Ｃとは、パンツ型吸収性物品１の着用時に着用者の股下に位置する部分であり、具体的には着用者の脚周りに配置される略円弧状の脚部開口部ＬＯ、ＬＯ間に位置する部分である。吸収体３３の形状としては、特に制限はなく、例えば、矩形状、砂時計状、Ｉ字状等をあげることができる。また、吸収体３３は、２層以上を重ねたものでもよい。図３（ａ）は、図１のＸ１−Ｘ１線において、パンツ型吸収性物品１の一実施形態に係る吸収体を抜き出した断面斜視図であり、図３（ｂ）は、図１のＸ２−Ｘ２線において、パンツ型吸収性物の一実施形態に係る吸収体を抜き出した断面斜視図である。図１から図４に示すように、この吸収体３３の股下部Ｃには、長手方向に延びるスリット３４が複数形成され、また、これらのスリット３４の合計幅（図３（ａ）に示す（ｂ＋ｄ＋ｆ））は、吸収体３３の股下部Ｃの幅（図３（ａ）に示す（ａ＋ｂ＋ｃ＋ｄ＋ｅ＋ｆ＋ｇ））に対して、１０％以上４０％以下である。また、スリット３４の合計幅（図３（ｂ）に示すｄ）は、吸収体３３の股下部Ｃの幅（図３（ｂ）に示す（ｈ＋ｄ＋ｊ））に対して、１０％以上４０％以下である。ここで、吸収体３３が砂時計状のように幅方向に異なる形状の場合、股下部Ｃの幅とは股下部Ｃにおいて最も短い寸法を示す部位の幅であり、スリット３４の合計幅とは股下部Ｃの最も短い寸法を示す部位における合計幅である。スリット３４の合計幅が吸収体３３の股下部Ｃの幅に対して、１０％以上４０％以下とすることで、着用者の動作時に、股下部Ｃが着用者の両腿によって幅方向に圧迫されて発生するごわつきを抑制し、かつ、圧迫によりスリット３４の間隔が狭まって側壁どうしが接触するため、体液が素早く吸収体３３に拡散して、濡れ戻り感が減少し、装着感が向上する。また、着用者の腹側（前側）及び背側（後側）の吸収体３３が身体にフィットしやすく、漏れにくくなることから、股下部Ｃの長手方向中央に位置するスリット３４（図３（ａ）に示す（ｂ＋ｄ＋ｆ）は、股下部Ｃの長手方向の前後に位置するスリット３４の合計幅（図３（ｂ）に示すｄ）と同等以上の合計幅を有することが好ましい。ここで、長手方向中央とは、股下部Ｃを長手方向に３分割したときに中央の範囲であり、長手方向前後とは、同様に３分割したときの前後の範囲である。スリット３４の幅及び吸収体の幅は、例えばノギスを用いて測定することができる。パンツ型吸収性物品１が成人用の場合、股下部Ｃの幅は、６０ｍｍ以上１２０ｍｍ以下の長さを有することが好ましい。
【００１８】
また、図５（ａ）は、本発明のパンツ型吸収性物品の他の実施形態を示すスリットの平面図、図５（ｂ）は、本発明のパンツ型吸収性物品のさらに他の実施形態を示すスリットの平面図、図５（ｃ）は、本発明のパンツ型吸収性物品のさらに他の実施形態を示すスリットの平面図である。吸収体３３の股下部Ｃに形成されたスリット３４の形状は、特に限定はなく、例えば、図５（ａ）に示すような棹状、図５（ｂ）に示すような長菱形状、図５（ｃ）に示すような三角形状等があげられる。また、図５（ａ）に示すように、吸収体３３の股下部Ｃの幅方向中央に配置され、長手方向に延在する第１スリット３４１、この第１スリット３４１の両側部に形成する第２スリット３４２、３４２のように、各々異なる長さ及び幅を有していてもよい。さらに、図５（ｃ）に示すように、幅方向中央に配置され、長手方向に延在する長菱形状の第１スリット３４１と、第１スリット３４１の第１の側に沿って配置され、相対的に長い隣辺が幅方向中央を向く２つの直角三角形を、相対的に短い隣辺同士をもって長手方向中央で対向するように配置された第３の１組のスリット３４３と、第１スリット３４１の第２の側に沿って配置され、相対的に長い隣辺が幅方向中央を向く２つの直角三角形を、相対的に短い隣辺同士をもって長手方向中央で対向するように配置された第４の１組のスリット３４４のように、長手方向に対しても間欠に形成し、吸収体３３の体液の拡散力を向上させてもよい。パンツ型吸収性物品１が成人用の場合、スリット３４は、着用者の動作時に変形してごわつきを抑えるために、６０ｍｍ以上１４０ｍｍ以下の長さを有することが好ましい。
【００１９】
吸収体３３は、フラップパルプと高吸収性樹脂（ＳＡＰ）を含有している。吸収体３３の基材は、一般に生理用ナプキンやおむつ、尿パッド等の吸収性物品に使用されるものであれば特に制限はなく、例えば、フラッフパルプ、コットン、レーヨン、アセテート、ティシュ、吸収紙、親水性不織布といった材料から形成される。この中で、吸収性の観点から、フラッフパルプが好ましい。かかるフラッフパルプとしては、木材パルプ及び合成繊維、ポリマー繊維等や非木材パルプを綿状に解繊したものをあげることができる。また、吸収性能および肌触りを損なわないよう、吸収体３３の基材の坪量を１００ｇ／ｍ２以上８００ｇ／ｍ２以下とすることが好ましい。
【００２０】
また、吸収体３３のＳＡＰは、体液を吸収し、かつ、逆流を防止できるものであれば特に制限はなく、例えば、ポリアクリル酸ナトリウム系、ポリアスパラギン酸塩系、(デンプン−アクリル酸)グラフト共重合体、（アクリル酸−ビニルアルコール)共重合体、 (イソブチレン−無水マレイン酸)共重合体及びそのケン化物、といった材料から形成される。この中で、重量当たりの吸収量の観点から、ポリアクリル酸ナトリウム系が好ましい。また、吸収性能および肌触りを損なわないよう、吸収体３３のＳＡＰは、５０ｇ／ｍ２以上５００ｇ／ｍ２以下の坪量とすることが好ましい。
【００２１】
吸収体３３の基材とＳＡＰは、基材中にＳＡＰ粒子を混合して形成したもの、あるいは、基材間にＳＡＰ粒子を固着したＳＡＰシートとすることが好ましい。また、ＳＡＰ粒子の漏洩防止や吸収体３３の形状を安定させるために、吸収体３３をキャリアシートに包むことが好ましい。キャリアシートの基材としては、親水性を有するものであればよく、ティシュ、吸収紙、エアレイド不織布等の親水性不織布をあげることができる。キャリアシートを複数備える場合は、キャリアシートの基材は同一のものであっても異なるものであってもよい。
【００２２】
防漏シート３２は、吸収体３３が保持している体液が下着に漏れないような液不透過性を備えた基材を用いればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。
【００２３】
強度および加工性の点から、防漏シート３２の坪量は、１０ｇ／ｍ２以上４０ｇ／ｍ２以下であることが好ましい。また、装着時の蒸れを防止するため、防漏シート３２は、通気性を持たせることが好ましい。通気性を備えさせるために、例えば、基材の樹脂フィルムにフィラーを配合することや、防漏シート３２にエンボス加工を施すことがあげられる。フィラーとしては、炭酸カルシウムをあげることができ、その加工方法は、公知の方法を制限なく行うことができる。
【００２４】
（外装体）
外装体２は、図２に示すように、長手方向中央の両側部では内側に括れている。肌当接面側に吸収性本体３を固定した外装体２の腹側領域の両側縁部と、背側領域の両側縁部の内面同士を互いに重ね合わせ、吸収性本体３が内側となるように外装体２（及び吸収性本体部３）を２つ折りし、ヒートシール等で接着することにより、図１に示すように、周方向に伸縮する腰部開口部ＷＯ及び一対の脚部開口部ＬＯ、ＬＯが形成され、全体として着脱可能なパンツ状に構成される。
【００２５】
また、外装体２には、図１及び図２に示すように、腰部弾性部材４１、胴部弾性部材４２及び脚部弾性部材４３の弾性部材４を装着することにより、パンツ型吸収性物品１の腰部開口部、胴部、脚部開口部に伸縮性を持たせて、着用時のフィット感を高め、さらには、体液が外部に漏れ出ることも防止する。
【００２６】
吸収体３３の腹側部Ａ及び/あるいは背側部Ｂに位置する外装体２は、吸収体３３と重ならない領域において、伸縮方向に１２０％伸長したときに、０．８Ｎ／５０ｍｍ以上２．０Ｎ／５０ｍｍ以下の伸長荷重を有し、かつ、伸縮方向に１５０％伸長したときに、２．０Ｎ／５０ｍｍ以上３．５Ｎ／５０ｍｍ以下の伸長荷重を有することが好ましい。ここで、伸縮方向に１２０％伸長したとは、非伸縮状態の自然長に対する、伸長した状態の長さの割合である。すなわち、非伸縮状態の自然長１０ｃｍの複合シートを伸長方向に対して１２ｃｍに伸長させた場合、１２／１０×１００＝１２０％伸長したとなる。伸長荷重を上記の範囲にすることにより、着用者の動作時のズレによる漏れを防ぐことができる。また、外装体２と吸収体３３が重なる領域では伸縮性がないか、重ならない領域よりも伸縮性は弱く抑えられる。さらに、吸収体３３の股下部Ｃに位置する外装体２についても、伸縮性がないか、弱く抑えられ、装着感が良好となる。
【００２７】
外装体２は、通常、吸収性物品に用いられるものであれば、特に制限はなく、例えば、ポリプロピレン、ポリエステル、ポリエチレン等の熱可塑性樹脂からなる撥水性の不織布を用いることができる。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。図４に示すように、外装体２は、第１の不織布２２、伸縮性フィルム２３及び第２の不織布２４を肌当接面側からこの順に熱融着又は超音波接着で一体化して積層して構成される複合シート２１を含有することが好ましい。第１の不織布２２及び第２の不織布２４は、上記の不織布と同様の素材を選ぶことができ、特に、強度や風合い、更にはコストの点から、ポリプロピレンスパンボンド不織布が好ましい。また、伸縮性フィルム２３は、伸縮性を備えたものであればよく、例えば、ポリエステル系エラストマー、ポリオレフィン系エラストマー、ポリウレタン系樹脂、ポリアミド系樹脂等から形成されたフィルムがあげられる。なかでも、コスト及び伸縮性能の観点から、ポリウレタン系樹脂フィルムが好ましい。
【００２８】
複合シート２１は、非伸縮状態において、２０ｃｍ３／ｃｍ２・秒以上のＪＩＳ  Ｌ  １０９６−Ａ（フラジール法）：１９９０に基づいて測定される通気度を有する。通気度が２０ｃｍ３／ｃｍ２・秒未満であると、着用時に蒸れ易くなる。さらに、複合シート２１は、伸縮方向に１５０％伸長したときに、５０ｃｍ３／ｃｍ２・秒以上のＪＩＳ  Ｌ  １０９６−Ａ（フラジール法）：１９９０に基づいて測定される通気度を有することが好ましい。通気度が５０ｃｍ３／ｃｍ２・秒未満であると、伸長された状態で使用する部位、例えば、背側の部位に対して、着用時に蒸れ易くなる。通気度は、複合シート２１を構成する不織布の繊維の糸の太さ、密度、単位面積当たりの重さや、伸縮性フィルム２３に備えた開口部の開口面積率等により、自由に変えることができる。
【００２９】
吸収性本体３は、トップシート３１と防漏シート３２との間にスリット３４を形成した吸収体３３を挟持し、さらに適宜液拡散性シート３５や立体ギャザーを配置した後、トップシート３１と防漏シート３２とを一部あるいは全周にわたってホットメルト接着剤やヒートエンボス、超音波エンボス、高周波エンボス等を用いて固定することで、製造することができる。また、外装体２と吸収性本体３、あるいは、外装体２の両側部の固定手段としては、通常、吸収性物品に用いられる接着剤や、ヒートエンボス、超音波エンボス、高周波エンボス等の融着手段が用いられる。接着剤としては、融点が１００℃以上１８０℃以下程度の、スチレン／ブタジエン／スチレン系共重合体、スチレン／イソプレン／スチレン系共重合体等の合成ゴム系；又はエチレン−酢酸ビニル共重合体等のオレフィン系のホットメルト接着剤を使用できる。ホットメルト接着剤の塗布方法には、ノズルから溶融状態の接着剤を非接触で塗布するカーテンコート法やスパイラル法、接触式で塗布するスロット法等があり、公知のあらゆる方法が利用できる。
【００３０】
以上、実施形態を用いて本発明を説明したが、本発明の技術的範囲は上記の実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３１】
１  パンツ型吸収性物品
２  外装体
２１  複合シート
２２  第１の不織布
２３  伸縮性フィルム
２４  第２の不織布
３  吸収性本体
３１  トップシート
３２  防漏シート
３３  吸収体
３４  スリット
３４１  第１スリット
３４２  第２スリット
３４３  第３の１組のスリット
３４４  第４の１組のスリット
３５  液拡散性シート
４  弾性部材
４１  腰部弾性部材
４２  胴部弾性部材
４３  脚部弾性部材
Ａ  腹側部
Ｂ  背側部
Ｃ  股下部
ＷＯ  腰部開口部
ＬＯ  脚部開口部
【図１】
2016220906.tif 000003
【図２】
2016220906.tif 000004
【図３】
2016220906.tif 000005
【図４】
2016220906.tif 000006
【図５】
2016220906.tif 000007